(57)【要約】【課題】ＣＷ干渉波耐力の改善を実現する。【解決手段】無線受信回路１は、受信したＲＦ信号をダウンコンバートして第１中間周波数（１ｓｔＩＦ）信号を生成するＲＦ受信回路２と、ＲＦ受信回路により生成された１ｓｔＩＦ信号の干渉波成分の信号を透過するバンドパスフィルタ５と、バンドパスフィルタ５を透過した前記干渉波成分の信号の強度を検波する検波回路６と、検波回路６で検波された信号の強度に応じて、出力する電流の強弱を変化させる制御回路７と、制御回路７から入力された電流の強弱に応じて、ＲＦ受信回路から入力された１ｓｔＩＦ信号にかけるバイアスを変化させるアンプ８と、を備える。【選択図】図１
2019169849.tif 000002
【特許請求の範囲】
【請求項１】
受信したＲＦ信号をダウンコンバートして第１中間周波数（１ｓｔＩＦ）信号を生成するＲＦ受信回路と、
前記ＲＦ受信回路により生成された前記１ｓｔＩＦ信号の干渉波成分の信号を透過するバンドパスフィルタと、
前記バンドパスフィルタを透過した前記干渉波成分の信号の強度を検波する検波回路と、
前記検波回路で検波された信号の強度に応じて、出力する電流の強弱を変化させる制御回路と、
前記制御回路から入力された電流の強弱に応じて、前記ＲＦ受信回路から入力された前記１ｓｔＩＦ信号にかけるバイアスを変化させるアンプと、を備える、
無線受信回路。
【請求項２】
前記バンドパスフィルタが透過する前記干渉波成分の信号は、
前記１ｓｔＩＦ信号の所望波から周波数が１／２離れた１／２  １ｓｔＩＦ離れ信号である、
請求項１に記載の無線受信回路。
【請求項３】
前記制御回路は、前記検波回路で検波された干渉波成分の強度が弱い場合には前記アンプに流す電流を小さく、強度が強い場合には前記アンプに流す電流を大きくし、
前記アンプは、前記制御回路から入力された電流の大小に応じて、前記１ｓｔＩＦ信号にバイアスをかける、
請求項１又は２に記載の無線受信回路。
【請求項４】
前記アンプは、前記制御回路から入力された電流が大きい場合には前記１ｓｔＩＦ信号にかけるバイアスを大きくし、前記制御回路から入力された電流が小さい場合には前記１ｓｔＩＦ信号にかけるバイアスを小さくする、
請求項３に記載の無線受信回路。
【請求項５】
前記検波回路は、入力された１ｓｔＩＦ信号の干渉波成分の信号の強度が閾値より低い定常状態と、閾値より高い干渉波入力状態と、を判定し、
前記制御回路は、前記検波回路が定常状態と判定した場合には、前記アンプに対して電流の出力を行わず、前記検波回路が干渉波入力状態と判定した場合には、前記アンプに対して電流の出力を行う、
請求項１乃至４のいずれか１項に記載の無線受信回路。
【請求項６】
Ｌｏ信号を発生させる局部発振器と、
前記アンプにより処理された１ｓｔＩＦ信号と、前記局部発振器により発生させたＬｏ信号を混合し、ダウンコンバートした第２中間周波数信号を生成する混合器と、をさらに備える、
請求項１乃至５のいずれか１項に記載の無線受信回路。
【請求項７】
受信したＲＦ信号をダウンコンバートして第１中間周波数（１ｓｔＩＦ）信号を生成し、
生成された前記１ｓｔＩＦ信号の干渉波成分の信号を透過し、
前記干渉波成分の信号の強度を検波し、
前記信号の強度に応じて、出力する電流の強弱を変化させ、
前記電流の強弱に応じて、前記１ｓｔＩＦ信号にかけるバイアスを変化させる、
無線受信方法。
【発明の詳細な説明】
【技術分野】
【０００１】
本発明は、無線受信回路及び無線受信方法に関する。
【背景技術】
【０００２】
受信信号を中間周波数信号に変換し、中間周波数（ＩＦ（Intermediate Frequency）周波数）に変換した受信信号に対して信号処理を行う受信回路が広く用いられている。
【０００３】
ここで無線通信システムにおいて、受信回路に対して所望波以外の干渉波が入ってきた場合には、信号の歪特性が劣化を起こし、結果として回線品質が低下を引き起こす問題がある。そのため、所望波よりも３０ｄＢレベルの高い干渉波入力信号が受信回路に入ってきても回線品質に影響ないように規格が設けられており、通信システムの受信回路には十分な干渉波耐力が要求されている。
【０００４】
特許文献１には、受信しようとする所望波に近接する周波数の干渉波を受信した場合や、離れた周波数の干渉波を受信した場合に、高い干渉波抑圧比が得られる受信回路及び受信回路を半導体基板上に形成した半導体装置が提案されている。
【先行技術文献】
【特許文献】
【０００５】
【特許文献１】特開２０１１−０８７０３４号公報
【発明の概要】
【発明が解決しようとする課題】
【０００６】
しかしながら、特許文献１に示した受信回路及び半導体装置では、ＲＦ（Radio Frequency：高周波信号）回路のＶＧＡ（variable gain amplifier:利得増幅器）においてレベル可変として歪特性の特性改善をすることで、ＣＷ（Continuous Wave：連続波）干渉波耐力を上げているため、逆にＮＦ（Noise Figure：雑音指数）特性は劣化してしまう。
【０００７】
ここで、通信品質を示す指標としてＭＥＲ（変調誤差比）や、ＣＮＲ(carrier‐noise ratio:搬送波対雑音比)がある。これは歪特性、ＮＦ特性などの要素のトータル特性で定義されており、特許文献１に記載された方法では歪特性を改善してＣＷ干渉波耐力は向上するが、ＮＦ特性は劣化させているので、これらの指標にかかる通信品質を劣化させてしまうことが推定できる。このため、トレードオフの関係である歪特性、ＮＦ特性の特性を担保しつつ、ＣＷ干渉波耐力の改善を実現する課題があった。
本開示の目的は、上述した課題を鑑み、ＣＷ干渉波耐力の改善を実現した受信回路及び無線受信方法を提供することにある。
【課題を解決するための手段】
【０００８】
本開示にかかる無線受信回路は、受信したＲＦ信号をダウンコンバートして第１中間周波数（１ｓｔＩＦ）信号を生成するＲＦ受信回路と、前記ＲＦ受信回路により生成された前記１ｓｔＩＦ信号の干渉波成分の信号を透過するバンドパスフィルタと、前記バンドパスフィルタを透過した前記干渉波成分の信号の強度を検波する検波回路と、前記検波回路で検波された信号の強度に応じて、出力する電流の強弱を変化させる制御回路と、前記制御回路から入力された電流の強弱に応じて、前記ＲＦ受信回路から入力された前記１ｓｔＩＦ信号にかけるバイアスを変化させるアンプと、を備える。
【０００９】
また、本開示にかかる無線受信方法は、受信したＲＦ信号をダウンコンバートして第１中間周波数（１ｓｔＩＦ）信号を生成し、生成された前記１ｓｔＩＦ信号の干渉波成分の信号を透過し、前記干渉波成分の信号の強度を検波し、前記信号の強度に応じて、出力する電流の強弱を変化させ、前記電流の強弱に応じて、前記１ｓｔＩＦ信号にかけるバイアスを変化させる。
【発明の効果】
【００１０】
ＣＷ干渉波耐力の改善を実現する。
【図面の簡単な説明】
【００１１】
【図１】無線受信回路の構成の概要を示す図である。
【図２】無線受信回路の構成を示す図である。
【図３】第２のＡＭＰに電流をかけることで変化する歪特性とＮＦ特性の一例を示す図である。
【図４】第２のＡＭＰに電流をかけることで変化する歪特性の変化の一例を示す図である。
【図５】第２のＡＭＰに電流をかけることで変化するＮＦ特性の変化の一例を示す図である。
【発明を実施するための形態】
【００１２】
（実施の形態の概要）
まず、実施の形態に先立って、実施の形態の概要について説明する。図１を用いて、実施の形態の概要にかかる無線受信回路１について説明する。
【００１３】
無線受信回路１は、受信した電波について、二段の変換を行うダブルコンバージョン方式を採用している回路である。無線受信回路１は、電波を受信し、ＲＦ信号を伝送するＲＦ受信回路２と、ＲＦ信号から生成された第１の中間周波数を有する１ｓｔＩＦ（第１中間周波数）信号を伝送する１ｓｔＩＦ回路３と、第１の中間周波数から生成された第２の中間周波数を有する２ｎｄＩＦ（第２中間周波数）信号を伝送する２ｎｄＩＦ回路４と、を備える。
【００１４】
ＲＦ受信回路２は、受信した信号をＲＦ信号として伝送し、１ｓｔＩＦ信号に変換して出力する。
【００１５】
１ｓｔＩＦ回路３は、ＲＦ受信回路２から出力された１ｓｔＩＦ信号を伝送する。１ｓｔＩＦ回路３は、バンドパスフィルタ５と、検波回路６と、制御回路７と、増幅器８と、を備える。
【００１６】
バンドパスフィルタ５は、ＲＦ受信回路２から出力された１ｓｔＩＦ信号の干渉波成分の信号を透過する。
【００１７】
検波回路６は、バンドパスフィルタ５を透過した１ｓｔＩＦ信号の干渉波成分の信号の強度を検波する。
【００１８】
制御回路７は、検波回路６により検波された信号の強度に応じて、増幅器８に電流を出力する。
【００１９】
増幅器８は、ＲＦ受信回路２から出力された１ｓｔＩＦ信号に対して、制御回路７から入力された電流の強弱に応じてバイアスをかける。
【００２０】
２ｎｄＩＦ回路４は、増幅器８でバイアスがかけられた１ｓｔＩＦ信号から生成された２ｎｄＩＦ信号を伝送する。
【００２１】
これにより、１ｓｔＩＦ信号の干渉波成分の強弱に応じて、増幅器８において１ｓｔＩＦ信号にかけるバイアスの強弱を変更するフィードバック制御を実行できる。
【００２２】
（実施の形態）
以下、図面を参照して本発明の実施の形態について説明する。図２に示すように、無線受信回路１０は、二段の変換を行うダブルコンバージョン方式を採用している。
【００２３】
無線受信回路１０は、入力ポート１１と、入力ポート１１に入力された信号にフィルタを掛ける第１のバンドパスフィルタ（ＢＰＦ）１２と、第１のＢＰＦを透過した信号を増幅する第１の増幅器（ＡＭＰ：アンプ）１３と、Ｌｏ（local oscillator）信号を発生させる第１の局部発振器１４と、第１のＡＭＰ１３により増幅された信号と第１の局部発振器１４で発生させたＬｏ信号を合成する第１の混合器（ＭＩＸ）１５と、第１のＭＩＸ１５が出力した信号を増幅する第２のＡＭＰ１６と、第２のＡＭＰにより増幅された信号を減衰させる第１の可変減衰器１７と、第１の可変減衰器１７により減衰された信号にフィルタを掛ける第２のＢＰＦ１８と、Ｌｏ信号を発生させる第２の局部発振器１９と、第２のＢＰＦ１８を透過した信号と第２の局部発振器１９で発生させたＬｏ信号を合成する第２のＭＩＸ２０と、第２のＭＩＸ２０が出力した信号を増幅する第３のＡＭＰ２１と、第３のＡＭＰにより増幅された信号を減衰させる第２の可変減衰器２２と、第２の可変減衰器２２により減衰した信号にフィルタを掛ける第３のＢＰＦ２３と、第１のＭＩＸ１５が出力した信号にフィルタを掛ける第４のＢＰＦ２４と、第４のＢＰＦ２４を透過した信号の検波を行う検波回路２５と、検波回路２５による検波に応じて第２のＡＭＰ１６の動作を制御する制御回路２６と、を備える。
【００２４】
以下では、入力ポート１１から第１のＭＩＸ１５まで伝送される信号をＲＦ信号とする。また、第１のＭＩＸ１５により生成された第１の中間周波数を有する信号であり、第２のＭＩＸ２０に入力されるまでの信号を１ｓｔＩＦ信号とする。また、第２のＭＩＸ２０により生成された第２の中間周波数を有する伝送信号を２ｎｄＩＦ信号とする。なお、概要に示したように、ＲＦ信号が伝送されている回路をＲＦ受信回路、１ｓｔＩＦ信号が伝送されている回路を１ｓｔＩＦ回路、２ｎｄＩＦ信号が伝送されている回路を２ｎｄＩＦ回路とする。
【００２５】
入力ポート１１は、送信回路（図示せず）から送信された信号を受信するポートである。なお入力ポート１１では、送信回路からの所望波だけでなく、干渉波が入力される。
【００２６】
第１のＢＰＦ１２は、入力ポート１１に入力されたＲＦ信号のうち、所定の周波数の信号を透過させ、それ以外の信号を遮断する。なお、第１のＢＰＦ１２による透過帯域を狭くすれば干渉波耐力が向上するが、通信装置では周波数チャネル数をできるだけ多くすることが望まれている。したがって第１のＢＰＦ１２では、所望するＲＦ信号以外の干渉波の一部を透過するように、一定の広さの信号帯域を有するように設けられている。第１のＢＰＦ１２は、透過したＲＦ信号を、第１のＡＭＰ１３に出力する。
【００２７】
第１のＡＭＰ１３は、第１のＢＰＦ１２を透過したＲＦ信号の振幅を増幅する。第１のＡＭＰ１３は、増幅されたＲＦ信号を、第１のＭＩＸ１５に出力する。
【００２８】
第１の局部発振器１４は、ＲＦ信号を周波数変換するためのＬｏ信号を発生する発振器である。第１の局部発振器１４は、発生させたＬｏ信号を、第１のＭＩＸ１５に出力する。
【００２９】
第１のＭＩＸ１５では、第１のＡＭＰ１３から入力されたＲＦ信号に対して、第１の局部発振器１４から入力されたＬｏ信号を混合することで、周波数変換を行う。例えば、第１のＭＩＸ１５では、入力信号と局部発振の周波数の差と和の信号が生成され、周波数の差である低い周波数を出力として利用する。これにより、第１のＭＩＸ１５は、ＲＦ信号をダウンコンバートした１ｓｔＩＦ信号を生成する。第１のＭＩＸ１５は、生成した１ｓｔＩＦ信号を、第２のＡＭＰ１６と、第４のＢＰＦ２４と、の夫々に出力する。
【００３０】
第２のＡＭＰ１６は、制御回路２６からの制御に応じて、第１のＭＩＸ１５から出力された１ｓｔＩＦ信号の振幅の増幅を行う可変増幅器である。なお後述するように、第２のＡＭＰ１６では、検波回路２５により検波された干渉波成分の振幅レベルに応じて、制御回路２６から電流の入力を受け、１ｓｔＩＦ信号にバイアスをかける。第２のＡＭＰ１６は、増幅させた１ｓｔＩＦ信号を、第１の可変減衰器１７に出力する。
【００３１】
第１の可変減衰器１７は、第２のＡＭＰ１６により増幅された１ｓｔＩＦ信号について、周波数ごとに振幅を減衰させて信号を調整する。なお、第１の可変減衰器１７による１ｓｔＩＦ信号の減衰量は、任意に変更可能である。第１の可変減衰器１７は、減衰した１ｓｔＩＦ信号を、第２のＢＰＦ１８に出力する。
【００３２】
第２のＢＰＦ１８は、１ｓｔＩＦ信号のうちの所定の周波数の信号を透過させ、それ以外の信号を遮断する。第２のＢＰＦ１８は、透過させた１ｓｔＩＦ信号を、第２のＭＩＸ２０に出力する。
【００３３】
第２の局部発振器１９は、ＲＦ信号を周波数変換するためのＬｏ信号を発生する発振器である。第２の局部発振器１９は、発生させたＬｏ信号を、第２のＭＩＸ２０に出力する。
【００３４】
第２のＭＩＸ２０は、第２のＢＰＦ１８から入力された１ｓｔＩＦ信号に対して、第２の局部発振器１９から入力されたＬｏ信号を混合することで、第１のＭＩＸ１５と同様に周波数変換を行う。第２のＭＩＸ２０は、生成した２ｎｄＩＦ信号を、第３のＡＭＰ２１に出力する。
【００３５】
第３のＡＭＰ２１は、第２のＭＩＸ２０から出力された２ｎｄＩＦ信号の振幅を増幅する。第３のＡＭＰ２１は、増幅された２ｎｄＩＦ信号を、第２の可変減衰器２２に出力する。
【００３６】
第２の可変減衰器２２は、第３のＡＭＰ２１により増幅された２ｎｄＩＦ信号について、周波数ごとに振幅を減衰させて信号を調整する。なお、第２の可変減衰器２２による２ｎｄＩＦ信号の減衰量は、任意に変更可能である。第２の可変減衰器２２は、減衰した２ｎｄＩＦ信号を、第３のＢＰＦ２３に出力する。
【００３７】
第３のＢＰＦ２３は、２ｎｄＩＦ信号のうちの所定の周波数の信号を透過させ、それ以外の信号を遮断する。第３のＢＰＦ２３により出力された信号は、その後、所望波にかかる信号であるものとして用いられる。
【００３８】
第４のＢＰＦ２４は、１ｓｔＩＦ信号のうちの所定の周波数の信号を透過させ、それ以外の信号を遮断する、干渉波信号透過バンドパスフィルタである。ここで、第４のＢＰＦ２４が透過させる所定の周波数の信号とは、第１のＭＩＸ１５によりダウンコンバートされた１ｓｔＩＦ信号における、ＣＷ干渉波成分の周波数の信号である。例えば、ＣＷ干渉波成分は、１ｓｔＩＦ信号における所望波成分から、周波数が１／２だけ離れた１／２  １ｓｔＩＦ離れ信号である。第４のＢＰＦ２４は、１／２  １ｓｔＩＦ離れ信号を透過させ、その他の周波数を遮断する。第４のＢＰＦ２４は、透過させた１／２  １ｓｔＩＦ離れ信号を、検波回路２５に出力する。
【００３９】
検波回路２５は、第４のＢＰＦ２４を透過した１／２  １ｓｔＩＦ離れ信号の電圧レベルを検波する。検波回路２５は、検波した電圧レベルの情報を、制御回路２６に出力する。なお、検波回路２５は、入力された１／２  １ｓｔＩＦ離れ信号の電圧レベルによって、入力されている信号が、干渉波の影響が小さい定常状態か、干渉波の影響が大きい干渉波入力状態かを判定して制御回路２６に出力する。例えば、検波回路２５は、検波した干渉波の電圧レベルが、あらかじめ定めた所定の閾値より高い状態であれば、干渉波入力状態と判定する。一方、干渉波の電圧レベルが閾値より低ければ、定常状態と判定する。また例えば、検波回路２５は、干渉波入力状態及び定常状態の判定について、干渉波成分が所望波成分に比べて３０ｄｂレベルが高い状態を閾値の基準として定めて、判定してもよい。
【００４０】
制御回路２６は、検波回路２５により検波された、干渉周波数成分である１／２  １ｓｔＩＦ離れ信号の電圧レベルに応じて、第２のＡＭＰ１６に対して電流を流す。より具体的には、制御回路２６では、検波回路２５により検波された干渉周波数成分が大きいほど、第２のＡＭＰ１６に対して流す電流を大きくする。後述するように、制御回路２６では、検波回路２５により定常状態であると判定された場合には第２のＡＭＰ１６に電流を流さず、干渉波入力状態と判定された場合に第２のＡＭＰ１６に電流を流すものとして説明する。
【００４１】
なお、第４のＢＰＦ２４と、検波回路２５と、制御回路２６と、により１／２  １ｓｔＩＦ離れ回路が形成されているものとする。
【００４２】
次に、無線受信回路１０の動作について説明する。最初に、ＲＦ受信回路において信号を受信した際に、干渉波が無い場合、又は、所望波に比べて干渉波が十分に小さい定常状態の場合の無線受信回路１０の動作について説明する。
【００４３】
無線受信回路１０では、送信回路から送られた信号波を、ＲＦ受信回路で受信する。ここで、ＲＦ受信回路では、入力ポート１１に信号波が入力されることにより、入力ポート１１から第１のＭＩＸ１５まで、ＲＦ信号が伝送される。
【００４４】
より具体的には、入力ポート１１から出力されたＲＦ信号について、第１のＢＰＦ１２は、所望波にあたる周波数、およびその近傍の周波数の信号を透過させる。その後、第１のＡＭＰ１３は、第１のＢＰＦ１２を透過したＲＦ信号の振幅を増幅する。
【００４５】
第１の局部発振器１４では、ＲＦ信号を周波数変換するためのＬｏ信号を発生させる。第１のＭＩＸ１５では、第１のＡＭＰ１３から入力されたＲＦ信号に対して、第１の局部発振器１４から入力されたＬｏ信号を混合することで、ダウンコンバートした１ｓｔＩＦ信号を生成する。これにより、ＲＦ受信回路は、ＲＦ信号から生成した１ｓｔＩＦ信号を、１ｓｔＩＦ回路に出力する。
【００４６】
１ｓｔＩＦ回路では、第１のＡＭＰ１３から出力された１ｓｔＩＦ信号が、第２のＡＭＰ１６と、第４のＢＰＦ２４に伝送される。ここで、第４のＢＰＦ２４では、１／２  １ｓｔＩＦ離れ信号にあたる周波数の信号を透過させる。その後、検波回路２５では、第４のＢＰＦ２４を透過した１／２  １ｓｔＩＦ離れ信号を検知する。
【００４７】
ここで、ＲＦ受信回路で受信した信号は、干渉波が無い、又は、所望波に比べて干渉波が十分に小さいため、検波回路２５では、１／２  １ｓｔＩＦ離れ信号の電圧が、十分に小さいものとして検波される。したがって、検波回路２５から十分に干渉波が小さいと検波結果を受けた制御回路２６は、第２のＡＭＰ１６への電流の出力を行わない。
【００４８】
一方、第２のＡＭＰ１６は、１ｓｔＩＦ信号の振幅を増幅する。なお、第２のＡＭＰ１６には制御回路２６から電流が入力されていないため、１ｓｔＩＦ信号のバイアスの制御を行うことなく、振幅の増幅を行う。
【００４９】
その後、第１の可変減衰器１７は、増幅された１ｓｔＩＦ信号の振幅を減衰させ、第２のＢＰＦ１８は、１ｓｔＩＦ信号のうち、所望波にあたる周波数からダウンコンバートされて生成された周波数成分を透過させる。
【００５０】
第２の局部発振器１９では、１ｓｔＩＦ信号を周波数変換するためのＬｏ信号を発生させる。第２のＭＩＸ２０では、第２のＢＰＦ１３から入力された１ｓｔＩＦ信号に対して、第２の局部発振器１９から入力されたＬｏ信号を混合することで、ダウンコンバートした２ｎｄＩＦ信号を生成する。これにより、１ｓｔＩＦ回路は、１ｓｔＩＦ信号から生成した２ｎｄＩＦ信号を、２ｎｄＩＦ回路に出力する。
【００５１】
２ｎｄＩＦ回路では、第２のＭＩＸ２０から入力された２ｎｄＩＦ信号が、第３のＡＭＰ２１に伝送される。第３のＡＭＰ２１では、２ｎｄＩＦ信号の振幅を増幅する。その後、第２の可変減衰器２２では２ｎｄＩＦ信号を減衰させ、第３のＢＰＦ２３では、２ｎｄＩＦ信号のうち、所望波にあたる周波数からダウンコンバートされて生成された周波数成分を透過させる。
【００５２】
これにより、ＲＦ受信回路において信号を受信した際に、干渉波が無い場合、又は、所望波に比べて干渉波が十分に小さい場合には、第２のＡＭＰ１６においてバイアスの制御を行うことなく、中間信号を伝送させることができる。したがって、第２のＡＭＰ１６の動作によって、所望波の変調信号帯域を減衰させて通信容量を減少させることはなく、ＮＦ特性を優先した状態で信号を伝送することができる。
【００５３】
次に、ＲＦ受信回路において信号を受信した際に、所望波に比べて干渉波が大きい、干渉波入力状態の場合の無線受信回路１０の動作について説明する。
【００５４】
なお、ＲＦ受信回路と２ｎｄＩＦ回路の動作については、所望波に比べて干渉波が小さい場合と同様であるため、記載を省略する。したがって、第１のＭＩＸ１５から１ｓｔＩＦ信号を出力した状態から説明する。
【００５５】
１ｓｔＩＦ回路では、第１のＡＭＰ１３から出力された１ｓｔＩＦ信号が、第２のＡＭＰ１６と、第４のＢＰＦ２４に伝送される。ここで、第４のＢＰＦ２４では、１／２  １ｓｔＩＦ離れ信号にあたる周波数の信号を透過させる。その後、検波回路２５では、第４のＢＰＦ２４を透過した１／２  １ｓｔＩＦ離れ信号を検知する。
【００５６】
ここで、ＲＦ受信回路で受信した信号は、所望波に比べて干渉波が大きいため、検波回路２５では、１／２  １ｓｔＩＦ離れ信号の電圧が大きいものとして検波される。検波回路２５では、検波した電圧レベルの情報を、制御回路２６に出力する。
【００５７】
制御回路２６は、検波回路２５が検波した電圧レベルに応じて、第２のＡＭＰ１６への電流の出力の強弱の変更を行う。例えば、制御回路２６では、検波回路２５が検波した電圧レベルが高いほど、第２のＡＭＰ１６への電流の出力が大きくなるように制御する。
【００５８】
第２のＡＭＰ１６は、１ｓｔＩＦ信号の振幅を増幅する。ここで、第２のＡＭＰ１６には制御回路２６から電流が入力されていることにより、１ｓｔＩＦ信号に対してバイアス制御を行いながら、振幅の増幅を行う。ここで、第２のＡＭＰ１６に入力される電流が大きいほど、第２のＡＭＰ１６で１ｓｔＩＦ信号にかかるバイアスは大きくする。例えば、この第２のＡＭＰ１６によるバイアスの強弱は、制御回路２６から入力される電流に比例して決定する。
【００５９】
この第２のＡＭＰ１６におけるバイアス制御により、１ｓｔＩＦ信号は、歪特性が改善して干渉耐力が増強される。
【００６０】
その後、第１の可変減衰器１７は、増幅された１ｓｔＩＦ信号の振幅を減衰させ、第２のＢＰＦ１８は、１ｓｔＩＦ信号のうち、所望波にあたる周波数からダウンコンバートされて生成された周波数成分を透過させる。第２の局部発振器１９では、１ｓｔＩＦ信号を周波数変換するためのＬｏ信号を発生させる。また、第２のＭＩＸ２０では、第２のＢＰＦ１３から入力された１ｓｔＩＦ信号に対して、第２の局部発振器１９から入力されたＬｏ信号を混合することで、ダウンコンバートした２ｎｄＩＦ信号を生成する。
【００６１】
なお上記では、干渉波の影響が小さい定常状態では、第２のＡＭＰ１６に対して制御回路２６から電流の入力を行わないものとして記載したが、これに限られない。例えば、上述の説明では定常状態として扱う程度に干渉波が小さい場合であっても、干渉波入力状態として扱うことができる。この場合、第２のＡＭＰ１６に入力する電流の大きさを、干渉波の大小に応じてリニアに変更することができる。
【００６２】
ここで図３に、第２のＡＭＰ１６に電流を流すことで変化するＮＦ／歪特性の一例を示す。干渉波が少ない定常状態のときは、第２のＡＭＰ１６に対して制御回路２６から入力される電流を小さくすることで、１ｓｔＩＦ信号にかけるバイアスを少量とすることで、ＮＦ特性を優先させることができる。なお、消費電力やＮＦ特性の劣化の観点から、定常状態の通信環境向上をはかる場合には、第２のＡＭＰ１６における電流の増加は干渉波入力状態に限定することができる。
【００６３】
ここで図４は、定常状態とＣＷ波入力状態の夫々について、第２のＡＭＰ１６に電流を流すことで変化する信号受信レベルごとの歪特性の一例である。また、図５は、定常状態とＣＷ波入力状態の夫々について、第２のＡＭＰ１６に電流を流すことで変化する信号受信レベルごとのＮＦ特性の一例である。ここで、図４及び図５において、ＮＦ特性と歪特性がトレードオフの関係であることが示されている。
【００６４】
また、干渉波入力状態では、第２のＡＭＰ１６に対して制御回路２６から入力される電流を大きくすることで、１ｓｔＩＦ信号にバイアスをかけて歪特性を改善し、干渉耐力を上げることができる。
【００６５】
なお、１ｓｔＩＦ回路の第２のＢＰＦ１８で１／２  ２ｎｄＩＦ離れの信号について減衰させようとした場合、所望波の変調信号帯域を減衰させてしまうことになり、通信容量を減らすことになってしまう。また、干渉波として３０ｄｂレベルが高い干渉波成分が入力された場合であって、第２のＡＭＰ１６でバイアスをかけない場合、第２のＡＭＰ１６によって１ｓｔＩＦ信号が歪んでしまい、２次の高調波成分が発生しやすくなる。この２次の高調波成分は、２ｎｄＩＦ信号の周波数と同じ周波数帯に生成されるため、２ｎｄＩＦ回路の第３のＢＰＦ２３では、所望波と干渉波を分離することができない。
【００６６】
これに対し、無線受信回路１０では、検波回路２５によりＣＷ干渉波成分である１/２  １ｓｔＩＦ離れの信号を検波して、検波した信号のレベルに応じて制御回路２６から第２のＡＭＰ１６でかけるバイアスを可変として制御する。
【００６７】
これにより、ＲＦ信号をＩＦ周波数にダウンコンバートした後、周波数の差を検出する帯域検出回路を設け、帯域検出回路が受信しようとする希望波の周波数帯域の近傍に妨害波を検出した場合は、第２のＡＭＰ１６に電圧フィードバックを掛け、Ｇａｉｎをコントロールして干渉波入力レベルを下げることができる。すなわち、ＮＦ特性と歪特性をコントロールして、ＣＷ干渉波耐力の改善を実現している。
【００６８】
なお一般に用いられる回路に対して、追加される回路は、干渉波信号透過バンドパスフィルタである第４のＢＰＦ２４と、検波回路２５と、制御回路２６のみである。そのため、一般に用いられる干渉除去回路よりも安価で簡易な構成で、通信品質を落とすことなく無線受信回路を構築することができる。
【００６９】
なお、本発明は上記実施の形態に限られたものではなく、趣旨を逸脱しない範囲で適宜変更することが可能である。
【符号の説明】
【００７０】
１            無線受信回路
２            ＲＦ受信回路
３            第１中間周波数回路
４            第２中間周波数回路
５            バンドパスフィルタ
６            検波回路
７            制御回路
８            増幅器
１０            無線受信回路
１１            入力ポート
１２            第１のバンドパスフィルタ
１３            第１のアンプ
１４            第１の局部発振器
１５            第１の混合器
１６            第２のアンプ
１７            第１の可変減衰器
１８            第２のバンドパスフィルタ
１９            第２の局部発振器
２０            第２の混合器
２１            第３のアンプ
２２            第２の可変減衰器
２３            第３のバンドパスフィルタ
２４            第４のバンドパスフィルタ
２５            検波回路
２６            制御回路
【図１】
2019169849.tif 000003
【図２】
2019169849.tif 000004
【図３】
2019169849.tif 000005
【図４】
2019169849.tif 000006
【図５】
2019169849.tif 000007